【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
外部端末と無線通信を行う無線通信手段を備えた画像形成装置において、
外部端末の所有者を表すユーザ識別情報を登録する登録手段と、
所定の外部端末から、前記無線通信手段により、前記所定の外部端末の所有者を表すユーザ識別情報を受信するユーザ識別情報受信手段と、
前記登録手段に登録されたユーザ識別情報の中から、前記ユーザ識別情報受信手段で受信したユーザ識別情報と一致するユーザ識別情報を検索する検索手段と、
前記検索手段の結果、一致するユーザ識別情報があった場合に、前記画像形成装置と前記所定の外部端末との間にユーザ認証を成立させるユーザ認証手段と、
を備えたことを特徴とする画像形成装置。
【請求項２】
コピー、ファクシミリ送受信、又は、プリンタなどのジョブを受け付ける受付手段と、
前記受付手段で受け付けたジョブの操作を禁止するためのロックを指定するロック指定手段と、
前記ユーザ認証手段でユーザ認証が成立した所定の外部端末に、前記ロック指定手段でロックを指定されたジョブを、前記無線通信手段で送信するジョブ送信手段と、
を更に備えたことを特徴とする請求項１記載の画像形成装置。
【請求項３】
前記ジョブ送信手段が送信したジョブに対して、ロックの解除指定を受け付けるロック解除受付手段と、
前記ロック解除受付手段で受け付けた、ロックの解除が指定されたジョブに対して、ロックを解除するロック解除手段と、
を更に備えたことを特徴とする請求項２記載の画像形成装置。
【請求項４】
前記ユーザ識別情報受信手段は、前記画像形成装置と前記所定の外部端末との距離が所定の距離以内である場合に、前記所定の外部端末からユーザ識別情報を受信することを特徴とする請求項１、請求項２または請求項３記載の画像形成装置。
【請求項５】
前記ユーザ識別情報受信手段は、ユーザ単位、グループ単位、あるいはアプリケーション単位のユーザ識別情報で受信を行うことを特徴とする請求項１、請求項２、請求項３、または請求項４記載の画像形成装置。
【請求項６】
前記無線通信手段は、通信方式としてＢｌｕｅｔｏｏｔｈ方式を用いることを特徴とする請求項１、請求項２、請求項３、請求項４または請求項５記載の画像形成装置。
【請求項７】
外部端末と無線通信を行う無線通信手段を備えた画像形成装置における無線通信方法において、
外部端末の所有者を表すユーザ識別情報を登録する第１のステップと、
所定の外部端末から、前記無線通信手段により、前記所定の外部端末の所有者を表すユーザ識別情報を受信する第２のステップと、
前記第１のステップで登録されたユーザ識別情報の中から、前記ユーザ識別情報受信手段で受信したユーザ識別情報と一致するユーザ識別情報を検索する第３のステップと、
前記第３のステップで一致するユーザ識別情報があった場合に、前記画像形成装置と前記所定の外部端末との間にユーザ認証を成立させる第４のステップと、
を有することを特徴とする画像形成装置における無線通信方法。
【請求項８】
外部端末と無線通信を行う無線通信手段を備えた画像形成装置において、
外部端末の所有者を表すユーザ識別情報を登録する第１の機能と、
所定の外部端末から、前記無線通信手段により、前記所定の外部端末の所有者を表すユーザ識別情報を受信する第２の機能と、
前記第１の機能で登録されたユーザ識別情報の中から、前記ユーザ識別情報受信手段で受信したユーザ識別情報と一致するユーザ識別情報を検索する第３の機能と、
前記第３の機能で一致するユーザ識別情報があった場合に、前記画像形成装置と前記所定の外部端末との間にユーザ認証を成立させる第４の機能と、
をコンピュータに実現させるための、画像形成装置における無線通信プログラム。
【請求項９】
外部端末と無線通信を行う無線通信手段を備えた画像形成装置において、
外部端末の所有者を表すユーザ識別情報を登録する第１の機能と、
所定の外部端末から、前記無線通信手段により、前記所定の外部端末の所有者を表すユーザ識別情報を受信する第２の機能と、
前記第１の機能で登録されたユーザ識別情報の中から、前記ユーザ識別情報受信手段で受信したユーザ識別情報と一致するユーザ識別情報を検索する第３の機能と、
前記第３の機能で一致するユーザ識別情報があった場合に、前記画像形成装置と前記所定の外部端末との間にユーザ認証を成立させる第４の機能と、
をコンピュータに実現させるための、画像形成装置における無線通信プログラムを記録したコンピュータ読み取り可能な記録媒体。
【請求項１０】
画像形成装置と無線通信を行う無線通信手段を備えた外部端末において、
前記外部端末の所有者を表すユーザ識別情報を、前記画像形成端末に登録する登録手段と、
前記登録手段で登録したユーザ識別情報を、前記画像形成装置に、前記無線通信手段で送信するユーザ識別情報送信手段と、
を備えたことを特徴とする外部端末。
【請求項１１】
前記画像形成手段によりロックが指定されたコピー、ファクシミリ送受信、又は、プリンタなどのジョブを、前記画像形成装置から無線通信手段で受信する受信手段と、
前記受信手段で受信したジョブを、前記登録したユーザ識別情報に対応させて表示する表示手段と、
を更に備えたことを特徴とする請求項１０記載の外部端末。
【請求項１２】
前記表示手段で表示したジョブのロックの解除指定をするロック解除指定手段と、
前記ロック解除指定手段でロックの解除指定をしたジョブを、前記無線通信手段で前記画像形成装置に送信するロック解除指定送信手段と、
を更に備えたことを特徴とする請求項１１記載の外部端末。
【請求項１３】
前記登録手段は、前記ユーザ識別情報をキャッシュメモリに登録することを特徴とする請求項１０、請求項１１、または請求項１２記載の外部端末。
【請求項１４】
画像形成装置と無線通信を行う無線通信手段を備えた外部端末における無線通信方法において、
前記外部端末の所有者を表すユーザ識別情報を、前記画像形成端末に登録する第１のステップと、
前記第１のステップで登録したユーザ識別情報を、前記画像形成装置に、前記無線通信手段で送信する第２のステップと、
を有することを特徴とする外部端末における無線通信方法。
【請求項１５】
画像形成装置と無線通信を行う無線通信手段を備えた外部端末において、
前記外部端末の所有者を表すユーザ識別情報を、前記画像形成端末に登録する第１の機能と、
前記第１の機能で登録したユーザ識別情報を、前記画像形成装置に、前記無線通信手段で送信する第２の機能と、
をコンピュータに実現させるための外部端末における無線通信プログラム。
【請求項１６】
画像形成装置と無線通信を行う無線通信手段を備えた外部端末において、
前記外部端末の所有者を表すユーザ識別情報を、前記画像形成端末に登録する第１の機能と、
前記第１の機能で登録したユーザ識別情報を、前記画像形成装置に、前記無線通信手段で送信する第２の機能と、
をコンピュータに実現させるための外部端末における無線通信プログラムを記録したコンピュータ読み取り可能な記録媒体。
【手続補正２】
【補正対象書類名】明細書
【補正対象項目名】発明の名称
【補正方法】変更
【補正の内容】
【発明の名称】画像形成装置、画像形成装置における無線通信方法、画像形成装置における無線通信プログラム、画像形成装置における無線通信プログラムを記録したコンピュータ読み取り可能な記録媒体、及び、外部端末、外部端末における無線通信方法、外部端末における無線通信プログラム、外部端末における無線通信プログラムを記録したコンピュータ読み取り可能な記録媒体
【手続補正３】
【補正対象書類名】明細書
【補正対象項目名】０００１
【補正方法】変更
【補正の内容】
【０００１】
本発明は、印刷装置、ファクシミリ、スキャナ、複写機、プリンタ、複合複写機などの画像形成装置と、携帯電子機器、携帯電話などの外部端末と、に関し、特にユーザの携帯する外部端末から送信された認証用情報に基づいて、ユーザの認証を行う画像形成装置、画像形成装置における無線通信方法、画像形成装置における無線通信プログラム、及び画像形成装置における無線通信プログラムを記録したコンピュータ読み取り可能な記録媒体、ならびに、外部端末、外部端末における無線通信方法、外部端末における無線通信プログラム、及び外部端末における無線通信プログラムを記録したコンピュータ読み取り可能な記録媒体に関する。
【手続補正４】
【補正対象書類名】明細書
【補正対象項目名】０００５
【補正方法】変更
【補正の内容】
【０００５】
そこで、本発明の第１の目的は、ユーザ認証を行う度に、わざわざユーザがユーザ識別情報やパスワードを手入力する手間を省いて、ユーザ認証を簡易に行う画像形成装置、画像形成装置における無線通信方法、画像形成装置における無線通信プログラム、及び画像形成装置における無線通信プログラムを記録したコンピュータ読み取り可能な記録媒体、ならびに、外部端末、外部端末における無線通信方法、外部端末における無線通信プログラム、及び外部端末における無線通信プログラムを記録したコンピュータ読み取り可能な記録媒体を提供することである。
また、本発明の第２の目的は、ユーザの使いかたや好みに合わせて、ジョブリストの設定、表示等の機能を調整することや、ユーザの業務形態に合わせたジョブリストの修正等の設定が可能な外部端末を提供することである。
さらに、本発明の第３の目的は、ユーザ識別情報とパスワードが第三者に知られた場合でも、ユーザ識別情報とパスワードの手入力によらずに、ジョブのロック解除などを行うことができる画像形成装置を提供することである。
【手続補正５】
【補正対象書類名】明細書
【補正対象項目名】０００６
【補正方法】変更
【補正の内容】
【０００６】
請求項１記載の発明では、外部端末と無線通信を行う無線通信手段を備えた画像形成装置において、外部端末の所有者を表すユーザ識別情報を登録する登録手段と、所定の外部端末から、前記無線通信手段により、前記所定の外部端末の所有者を表すユーザ識別情報を受信するユーザ識別情報受信手段と、前記登録手段に登録されたユーザ識別情報の中から、前記ユーザ識別情報受信手段で受信したユーザ識別情報と一致するユーザ識別情報を検索する検索手段と、前記検索手段の結果、一致するユーザ識別情報があった場合に、前記画像形成装置と前記所定の外部端末との間にユーザ認証を成立させるユーザ認証手段と、を備えたことにより、前記第１の目的を達成する。
【手続補正６】
【補正対象書類名】明細書
【補正対象項目名】０００７
【補正方法】変更
【補正の内容】
【０００７】
請求項２記載の発明では、請求項１記載の発明において、コピー、ファクシミリ送受信、又は、プリンタなどのジョブを受け付ける受付手段と、前記受付手段で受け付けたジョブの操作を禁止するためのロックを指定するロック指定手段と、前記ユーザ認証手段でユーザ認証が成立した所定の外部端末に、前記ロック指定手段でロックを指定されたジョブを、前記無線通信手段で送信するジョブ送信手段と、を更に備えたことにより、前記第２の目的を達成する。
【手続補正７】
【補正対象書類名】明細書
【補正対象項目名】０００８
【補正方法】変更
【補正の内容】
【０００８】
請求項３記載の発明では、請求項２記載の発明において、前記ジョブ送信手段が送信したジョブに対して、ロックの解除指定を受け付けるロック解除受付手段と、前記ロック解除受付手段で受け付けた、ロックの解除が指定されたジョブに対して、ロックを解除するロック解除手段と、を更に備えたことにより、前記の第３の目的を達成する。
【手続補正８】
【補正対象書類名】明細書
【補正対象項目名】０００９
【補正方法】変更
【補正の内容】
【０００９】
請求項４記載の発明では、請求項１、請求項２または請求項３記載の発明において、前記ユーザ識別情報受信手段は、前記画像形成装置と前記所定の外部端末との距離が所定の距離以内である場合に、前記所定の外部端末からユーザ識別情報を受信するすることを特徴とする。
【手続補正９】
【補正対象書類名】明細書
【補正対象項目名】００１０
【補正方法】変更
【補正の内容】
【００１０】
請求項５記載の発明では、請求項１、請求項２、請求項３、または請求項４記載の発明において、前記ユーザ識別情報受信手段は、ユーザ単位、グループ単位、あるいはアプリケーション単位のユーザ識別情報で受信を行うことを特徴とする。
【手続補正１０】
【補正対象書類名】明細書
【補正対象項目名】００１１
【補正方法】変更
【補正の内容】
【００１１】
請求項６記載の発明では、請求項１、請求項２、請求項３、請求項４または請求項５記載の発明において、前記無線通信手段は、通信方式としてＢｌｕｅｔｏｏｔｈ方式を用いることを特徴とする。
また、請求項７記載の発明では、外部端末と無線通信を行う無線通信手段を備えた画像形成装置における無線通信方法において、外部端末の所有者を表すユーザ識別情報を登録する第１のステップと、所定の外部端末から、前記無線通信手段により、前記所定の外部端末の所有者を表すユーザ識別情報を受信する第２のステップと、前記第１のステップで登録されたユーザ識別情報の中から、前記ユーザ識別情報受信手段で受信したユーザ識別情報と一致するユーザ識別情報を検索する第３のステップと、前記第３のステップで一致するユーザ識別情報があった場合に、前記画像形成装置と前記所定の外部端末との間にユーザ認証を成立させる第４のステップと、を有することを特徴とする画像形成装置における無線通信方法を提供することにより、前記第１の目的を達成する。
更に、請求項８記載の発明では、外部端末と無線通信を行う無線通信手段を備えた画像形成装置において、外部端末の所有者を表すユーザ識別情報を登録する第１の機能と、所定の外部端末から、前記無線通信手段により、前記所定の外部端末の所有者を表すユーザ識別情報を受信する第２の機能と、前記第１の機能で登録されたユーザ識別情報の中から、前記ユーザ識別情報受信手段で受信したユーザ識別情報と一致するユーザ識別情報を検索する第３の機能と、前記第３の機能で一致するユーザ識別情報があった場合に、前記画像形成装置と前記所定の外部端末との間にユーザ認証を成立させる第４の機能と、をコンピュータに実現させるための、画像形成装置における無線通信プログラムを提供することにより、前記第１の目的を達成する。
そして、請求項９記載の発明では、外部端末と無線通信を行う無線通信手段を備えた画像形成装置において、外部端末の所有者を表すユーザ識別情報を登録する第１の機能と、所定の外部端末から、前記無線通信手段により、前記所定の外部端末の所有者を表すユーザ識別情報を受信する第２の機能と、前記第１の機能で登録されたユーザ識別情報の中から、前記ユーザ識別情報受信手段で受信したユーザ識別情報と一致するユーザ識別情報を検索する第３の機能と、前記第３の機能で一致するユーザ識別情報があった場合に、前記画像形成装置と前記所定の外部端末との間にユーザ認証を成立させる第４の機能と、をコンピュータに実現させるための、画像形成装置における無線通信プログラムを記録したコンピュータ読み取り可能な記録媒体を提供することにより、前記第１の目的を達成する。
【手続補正１１】
【補正対象書類名】明細書
【補正対象項目名】００１２
【補正方法】変更
【補正の内容】
【００１２】
請求項１０記載の発明では、画像形成装置と無線通信を行う無線通信手段を備えた外部端末において、前記外部端末の所有者を表すユーザ識別情報を、前記画像形成端末に登録する登録手段と、前記登録手段で登録したユーザ識別情報を、前記画像形成装置に、前記無線通信手段で送信するユーザ識別情報送信手段と、を備えたことにより、前記第１の目的を達成する。
【手続補正１２】
【補正対象書類名】明細書
【補正対象項目名】００１３
【補正方法】変更
【補正の内容】
【００１３】
請求項１１記載の発明では、請求項１０記載の発明において、前記画像形成手段によりロックが指定されたコピー、ファクシミリ送受信、又は、プリンタなどのジョブを、前記画像形成装置から無線通信手段で受信する受信手段と、前記受信手段で受信したジョブを、前記登録したユーザ識別情報に対応させて表示する表示手段と、を更に備えたことにより、前記第２の目的を達成する。
【手続補正１３】
【補正対象書類名】明細書
【補正対象項目名】００１４
【補正方法】変更
【補正の内容】
【００１４】
請求項１２記載の発明では、請求項１１記載の発明において、前記表示手段で表示したジョブのロックの解除指定をするロック解除指定手段と、前記ロック解除指定手段でロックの解除指定をしたジョブを、前記無線通信手段で前記画像形成装置に送信するロック解除指定送信手段と、を更に備えたことにより、前記第３の目的を達成する。
【手続補正１４】
【補正対象書類名】明細書
【補正対象項目名】００１５
【補正方法】変更
【補正の内容】
【００１５】
請求項１３記載の発明では、請求項１０、請求項１１、または請求項１２記載の発明において、前記登録手段は、前記ユーザ識別情報をキャッシュメモリに登録することを特徴とする。
また、請求項１４記載の発明では、画像形成装置と無線通信を行う無線通信手段を備えた外部端末における無線通信方法において、前記外部端末の所有者を表すユーザ識別情報を、前記画像形成端末に登録する第１のステップと、前記第１のステップで登録したユーザ識別情報を、前記画像形成装置に、前記無線通信手段で送信する第２のステップと、を有することを特徴とする外部端末における無線通信方法を提供することにより、前記第１の目的を達成する。
更に、請求項１５記載の発明では、画像形成装置と無線通信を行う無線通信手段を備えた外部端末において、前記外部端末の所有者を表すユーザ識別情報を、前記画像形成端末に登録する第１の機能と、前記第１の機能で登録したユーザ識別情報を、前記画像形成装置に、前記無線通信手段で送信する第２の機能と、をコンピュータに実現させるための外部端末における無線通信プログラムを提供することにより、前記第１の目的を達成する。
そして、請求項１６記載の発明では、画像形成装置と無線通信を行う無線通信手段を備えた外部端末において、前記外部端末の所有者を表すユーザ識別情報を、前記画像形成端末に登録する第１の機能と、前記第１の機能で登録したユーザ識別情報を、前記画像形成装置に、前記無線通信手段で送信する第２の機能と、をコンピュータに実現させるための外部端末における無線通信プログラムを記録したコンピュータ読み取り可能な記録媒体を提供することにより、前記第１の目的を達成する。
【手続補正１５】
【補正対象書類名】明細書
【補正対象項目名】００１６
【補正方法】変更
【補正の内容】
【００１６】
本発明では、画像形成装置が外部端末からユーザ識別情報を受信し、該ユーザ識別情報と登録されたユーザ識別情報から一致するユーザ識別情報の検索を行い、一致するユーザ識別情報がある場合に、ユーザ認証が成立する。
これにより、ユーザの認証を行う度に、わざわざユーザがユーザ識別情報やパスワードを手入力する手間を省いて、ユーザ認証を簡易に行うことができる。
【手続補正１６】
【補正対象書類名】明細書
【補正対象項目名】００１８
【補正方法】変更
【補正の内容】
【００１８】
（２）発明の実施の詳細
以下、本発明の好適な実施の形態について、図１および図４を参照して詳細に説明する。まず、図１は、画像形成装置の一実施形態である複合機の主要な構成を示すブロック図である。
複合機１は、図１に示すように、プロッタ４と、スキャナ５と、ユーザＩＤ管理部３と、ＲＯＭ１１と、ＣＰＵ１０と、ＲＡＭ１４と、ＮＶＲＡＭ１２と、操作ボード１５と、ジョブ管理部１６と、通信制御部１７と、符号化・復号化部９と、ＮＣＵ１８と、モデム１９と、Ｂｌｕｅｔｏｏｔｈモジュール２０を備えている。
スキャナ５は、文字や図形などが記載された原稿の画像情報をセンサ５ａで読み取って電気信号に変換し、画像データを出力する画像読み取り手段である。
スキャナ５は、読み取られたイメージデータを２値化して、生データとし、原稿読取時の縮小、拡大などの変倍処理や線密度変換などの処理を行う。
【手続補正１７】
【補正対象書類名】明細書
【補正対象項目名】００２２
【補正方法】変更
【補正の内容】
【００２２】
ＲＡＭ（Ｒａｎｄｏｍ  Ａｃｃｅｓｓ  Ｍｅｍｏｒｙ）１４は、受信した画像データおよびスキャナ５が原稿を読み取って出力する画像データを一時的に記憶し、複数の受信データが管理され蓄積されている。
ＲＡＭ１４には、例えば、磁気ディスク装置が利用されるが、その他にもカードスロットに挿入されるメモリーカードでも良い。
ＮＶＲＡＭ（Ｎｏｎ  Ｖｏｌａｔｉｌｅ  ＲＡＭ）１２は、電源を切ってもデータが消えない不揮発性メモリ（ＲＡＭ）であり、メモリに内蔵されている電池によりデータを保持しつづける。おもに、万一のトラブル発生時でも保護する必要があるデータの保存用に使用されている。
【手続補正１８】
【補正対象書類名】明細書
【補正対象項目名】００２４
【補正方法】変更
【補正の内容】
【００２４】
符号化・復号化部９は、ＭＨ方式（Ｍｏｄｉｆｉｅｄ  Ｈｕｆｆｍａｎ  Ｃｏｄｉｎｇ）などの既知の符号化方式により、送信する画像データを圧縮加工する。
そして、受信した画像データは、復号して元のデータを再生（復元）する。
該再生されたデータをプロッタ４で印字出力する処理は、ジョブ管理部１６でジョブとして管理される。
【手続補正１９】
【補正対象書類名】明細書
【補正対象項目名】００３２
【補正方法】変更
【補正の内容】
【００３２】
上記各部は、信号をやり取りするためのバスライン１１１で相互に接続されており、ＣＰＵ１０１は、携帯電話５０全体の動作を制御するユニットであって、ＲＯＭ１０２に記憶されているプログラムに従って処理を実行し、各構成部を制御する。
また、ＲＡＭ１０３には、携帯電話５０の所有者を表すユーザＩＤやパスワードが登録されている。
そして、ＲＡＭ１０３には、キャッシュメモリ１１２が内蔵されており、キャッシュメモリ１１２にユーザＩＤ、パスワードが格納された場合には、ＣＰＵ１０１はユーザＩＤ、パスワードをキャッシュメモリ１１２から速やかに取得することができる。
【手続補正２０】
【補正対象書類名】明細書
【補正対象項目名】００４１
【補正方法】変更
【補正の内容】
【００４１】
ジョブリスト送信要求をＢｌｕｅｔｏｏｔｈモジュール１１０より受信した複合機１は（ステップ４０３）、該当するジョブリストをジョブ管理部１６より検索し、Ｂｌｕｅｔｏｏｔｈモジュール２０より、ジョブリストの送信を行う（ステップ４０４）。
携帯電話５０では、Ｂｌｕｅｔｏｏｔｈモジュール１１０よりジョブリストを受信し、ディスプレイ１０４に表示する（ステップ４０５）。ステップ４０５におけるジョブリストの表示は、ＲＡＭ１０３に登録されたユーザＩＤに応じて、設定を調整（カスタマイズ）することが可能である。